(57)【特許請求の範囲】
【請求項１】
画像データを投影する画像投影装置と、第１の端末と第２の端末とがネットワークを介して接続されたネットワークシステムであって、
前記第１の端末は、元画像データを記憶する元画像データ記憶手段と、
前記元画像データ記憶手段に記憶された元画像データから、該元画像データよりも情報量を削減した投影用画像データを生成する投影用画像生成手段と、
前記投影用画像データの生成に用いられた元画像データを識別するための画像識別情報と前記第１の端末を特定するための端末識別情報とが紐付けされた紐付け情報を生成する紐付け情報生成手段と、
前記投影用画像生成手段で生成された投影用画像データと、該投影用画像データに基づいて前記紐付け情報生成手段で生成された紐付け情報とを前記画像投影装置に送信する第１の送信手段と、
前記画像投影装置から前記元画像データ記憶手段に記憶されている元画像データの取得要求を受信したとき、該取得要求に含まれる画像識別情報に基づいた元画像データを前記元画像データ記憶手段から読み出す元画像データ読み出し手段と、
前記元画像データ読み出し手段が読み出した元画像データを前記画像投影装置に送信する第２の送信手段と、を有し、
前記第２の端末は、
前記画像投影装置により投影されている画像データの取得要求を前記画像投影装置に送信し、該取得要求に基づいて前記画像投影装置が前記第１の端末から取得した元画像データを前記画像投影装置から取得する画像取得手段と、を有し、
前記画像投影装置は、
前記第１の送信手段により送信された投影用画像データと紐付け情報とを記憶する記憶手段と、
前記記憶手段に記憶された投影用画像データを投影する画像投影手段と、
前記画像投影手段により投影された投影用画像データの取得要求を前記第２の端末から受信したとき、前記記憶手段に記憶されている紐付け情報に含まれる画像識別情報を含めた元画像データの取得要求を前記第１の端末に送信する取得要求送信手段と、
前記取得要求送信手段で送信した取得要求に基づいた元画像データを前記第１の端末から受信する元画像受信手段と、
前記元画像受信手段で受信した元画像データを前記第２の端末に送信する元画像送信手段と、
を有するネットワークシステム。
【請求項２】
前記画像投影装置は、
投影された画像データの調整を、前記ネットワークを介さずに受け付けるユーザ操作受付手段と、
前記ユーザ操作受付手段が受け付けた操作内容を、操作対象の投影用画像データの画像識別情報に対応づけて記録した履歴情報を作成する履歴情報作成手段と、
を有する請求項１記載のネットワークシステム。
【請求項３】
前記履歴情報に予め定められた前記操作内容が記録されている場合、
前記取得要求送信手段は、紐付け情報にて画像識別情報に対応づけられた端末識別情報の前記第１の端末に元画像データの取得要求を送信し、
前記元画像受信手段は、前記取得要求送信手段で送信した取得要求に基づいた元画像データを前記第１の端末から受信し、
前記元画像送信手段は、元画像データを前記第２の端末に送信し、
前記履歴情報に予め定められた前記操作内容が記録されていない場合、
前記元画像送信手段は、画像識別情報で指定される前記記憶手段に記憶された投影用画像データを前記第２の端末に送信する、
ことを特徴とする請求項２記載のネットワークシステム。
【請求項４】
前記画像投影装置が、投影対象の投影用画像データを切り換える際、
前記履歴情報作成手段は、新たに投影される投影用画像データの画像識別情報が付与された前記履歴情報に表示開始タイミングを記録し、
投影が終了となる投影用画像データの画像識別情報が付与された前記履歴情報に表示終了タイミングを記録し、
前記履歴情報に記録された前記表示開始タイミングと前記表示終了タイミング、又は、前記表示開始タイミングと現在時刻から求められた表示時間が所定値以上の場合、
前記取得要求送信手段は、紐付け情報にて画像識別情報に対応づけられた前記端末識別情報の前記第１の端末に元画像データの取得要求を送信し、
前記元画像受信手段は、前記取得要求送信手段で送信した取得要求に基づいた元画像データを前記第１の端末から受信し
前記元画像送信手段は、元画像データを前記第２の端末に送信し、
前記表示時間が所定値以上でない場合、
前記元画像送信手段は、画像識別情報で指定される前記記憶手段に記憶された投影用画像データを前記第２の端末に送信する、
ことを特徴とする請求項２記載のネットワークシステム。
【請求項５】
前記画像投影装置は、前記履歴情報に予め定められた前記操作内容として拡大操作と拡大倍率が記録されている場合、
前記第２の端末に、拡大された元画像データの取得を要求するか否かを問い合わせる問い合わせ手段を有し、
前記問い合わせ手段が、拡大された元画像データの取得を要求するという応答を前記第２の端末から取得した場合、
前記取得要求送信手段は、紐付け情報にて画像識別情報に対応づけられた前記端末識別情報の前記第１の端末に、前記拡大倍率が含まれる元画像データの取得要求を送信し、
前記第１の端末の前記投影用画像生成手段は、元画像データを前記拡大倍率にて拡大した拡大元画像データを生成し、
前記第２の送信手段は、前記投影用画像生成手段が生成した拡大元画像データを前記画像投影装置に送信し、
前記元画像受信手段は、前記取得要求送信手段で送信した取得要求に基づいた拡大倍率にて拡大された拡大元画像データを前記第１の端末から受信し、
前記元画像送信手段は、拡大元画像データを前記第２の端末に送信し、
前記問い合わせ手段が、拡大された元画像データの取得を要求するという応答を前記第２の端末から取得しない場合、
前記取得要求送信手段は、紐付け情報にて画像識別情報に対応づけられた前記端末識別情報の前記第１の端末に元画像データの取得要求を送信し、
前記元画像受信手段は、前記取得要求送信手段で送信した取得要求に基づいた元画像データを前記第１の端末から受信し、
前記元画像送信手段は、元画像データを前記第２の端末に送信する、
ことを特徴とする請求項３記載のネットワークシステム。
【請求項６】
前記履歴情報に予め定められた前記操作内容が記録されていない場合、
前記元画像送信手段は、元画像データ及び投影用画像データのいずれも前記第２の端末に送信しない、
ことを特徴とする請求項３記載のネットワークシステム。
【請求項７】
前記表示時間が所定値以上でない場合、
前記元画像送信手段は、元画像データ及び投影用画像データのいずれも前記第２の端末に送信しない、
ことを特徴とする請求項４記載のネットワークシステム。
【請求項８】
前記第２の端末は、前記表示時間が所定値以上でない場合に元画像データの送信を要求するか否かの設定を受け付け、受け付けた設定内容を前記画像投影装置に送信し、
前記画像投影装置が、画像データの送信を要求しないという設定内容を受信した場合にのみ、
前記表示時間が所定値以上でない場合、前記元画像送信手段は、元画像データ及び投影用画像データのいずれも前記第２の端末に送信しない、
ことを特徴とする請求項７記載のネットワークシステム。
【請求項９】
前記紐付け情報生成手段は、元画像データを前記第２の端末に配信するか否かの配信設定を、投影用画像データの画像識別情報に対応づけて紐付け情報に登録し、
前記元画像取得手段は、紐付け情報の前記配信設定が元画像データの配信を許可している場合にのみ、元画像データの取得要求を前記第１の端末に送信し、
前記元画像送信手段は、元画像データを前記第２の端末に送信する、
ことを特徴とする請求項１〜８いずれか1項記載のネットワークシステム。
【請求項１０】
前記紐付け情報生成手段は、元画像データ、及び、投影用画像データを前記第２の端末に配信するか否かの配信設定を、画像識別情報に対応づけて紐付け情報に登録し、
前記取得要求送信手段は、紐付け情報の前記配信設定が元画像データの配信を許可している場合には、前記記憶手段に記憶されている紐付け情報に含まれる画像識別情報を含めた元画像データの取得要求を前記第１の端末に送信し、
前記元画像受信手段は、前記取得要求送信手段で送信した取得要求に基づいた元画像データを前記第１の端末から受信し、
前記元画像送信手段は、元画像データを前記第２の端末に送信し、
前記取得要求送信手段は、紐付け情報の前記配信設定が投影用画像データの配信を許可している場合には、画像識別情報を含めた投影用画像データの取得要求を前記第１の端末に送信することなく、
前記元画像送信手段は、投影に使用された投影用画像データを前記第２の端末に送信する、
ことを特徴とする請求項９記載のネットワークシステム。
【請求項１１】
前記画像投影装置は、
投影用画像データと共に、該投影用画像データの画像識別情報及び紐付け情報に含まれる前記端末識別情報を投影する、
ことを特徴とする請求項１〜１０いずれか1項記載のネットワークシステム。
【請求項１２】
元画像データを記憶する元画像データ記憶手段と、前記元画像データ記憶手段に記憶された元画像データから、該元画像データよりも情報量を削減した投影用画像データを生成する投影用画像生成手段と、投影用画像データの生成に用いられた元画像データを識別するための画像識別情報と該第１の端末を特定するための端末識別情報とが紐付けされた紐付け情報を生成する紐付け情報生成手段と、前記紐付け情報生成手段で生成された紐付け情報と前記投影用画像生成手段で生成された投影用画像データとを画像投影装置に送信する第１の送信手段と、画像投影装置から前記元画像データ記憶手段に記憶されている元画像データの取得要求を受信したとき、該取得要求に含まれる画像識別情報に基づいた元画像データを前記元画像データ記憶手段から読み出す元画像データ読み出し手段と、前記元画像データ読み出し手段が読み出した元画像データを画像投影装置に送信する第２の送信手段と、有する第１の端末、及び、
前記画像投影装置により投影されている画像データの取得要求を前記画像投影装置に送信し、該取得要求に基づいて前記画像投影装置が前記第１の端末から取得した元画像データを前記画像投影装置から取得する画像取得手段、を有する第２の端末と、
ネットワークを介して接続された画像投影装置であって、
前記第１の送信手段により送信された投影用画像データと紐付け情報とを記憶する記憶手段と、
前記記憶手段に記憶された投影用画像データを投影する画像投影手段と、
前記画像投影手段により投影された投影用画像データの取得要求を前記第２の端末から受信したとき、前記記憶手段に記憶されている紐付け情報に含まれる画像識別情報を含めた元画像データの取得要求を前記第１の端末に送信する取得要求送信手段と、
前記取得要求送信手段で送信した取得要求に基づいた元画像データを前記第１の端末から受信する元画像受信手段と、
前記元画像受信手段で受信した元画像データを前記第２の端末に送信する元画像送信手段と、を有する画像投影装置。
【請求項１３】
投影された画像データの調整を、前記ネットワークを介さずに受け付けるユーザ操作受付手段と、
前記ユーザ操作受付手段が受け付けた操作内容を、操作対象の投影用画像データの画像識別情報に対応づけて記録した履歴情報を作成する履歴情報作成手段と、
を有する請求項１２記載の画像投影装置。
【請求項１４】
前記履歴情報に予め定められた前記操作内容が記録されている場合、
前記取得要求送信手段は、紐付け情報にて画像識別情報に対応づけられた端末識別情報の前記第１の端末に元画像データの取得要求を送信し、
前記元画像受信手段は、前記取得要求送信手段で送信した取得要求に基づいた元画像データを前記第１の端末から受信し、
前記元画像送信手段は、元画像データを前記第２の端末に送信し、
前記履歴情報に予め定められた前記操作内容が記録されていない場合、
前記元画像送信手段は、画像識別情報で指定される前記記憶手段に記憶された投影用画像データを前記第２の端末に送信する、
ことを特徴とする請求項１３記載の画像投影装置。
【請求項１５】
投影対象の投影用画像データを切り換える際、
前記履歴情報作成手段は、新たに投影される投影用画像データの画像識別情報が付与された前記履歴情報に表示開始タイミングを記録し、
投影が終了となる投影用画像データの画像識別情報が付与された前記履歴情報に表示終了タイミングを記録し、
前記履歴情報に記録された前記表示開始タイミングと前記表示終了タイミング、又は、前記表示開始タイミングと現在時刻から求められた表示時間が所定値以上の場合、
前記取得要求送信手段は、紐付け情報にて画像識別情報に対応づけられた前記端末識別情報の前記第１の端末に元画像データの取得要求を送信し、
前記元画像受信手段は、前記取得要求送信手段で送信した取得要求に基づいた元画像データを前記第１の端末から受信し
前記元画像送信手段は、元画像データを前記第２の端末に送信し、
前記表示時間が所定値以上でない場合、
前記元画像送信手段は、画像識別情報で指定される前記記憶手段に記憶された投影用画像データを前記第２の端末に送信する、
ことを特徴とする請求項１３記載の画像投影装置。
【請求項１６】
前記履歴情報に予め定められた前記操作内容として拡大操作と拡大倍率が記録されている場合、
前記第２の端末に、拡大された元画像データの取得を要求するか否かを問い合わせる問い合わせ手段を有し、
前記問い合わせ手段が、拡大された元画像データの取得を要求するという応答を前記第２の端末から取得した場合、
前記取得要求送信手段は、紐付け情報にて画像識別情報に対応づけられた前記端末識別情報の前記第１の端末に、前記拡大倍率が含まれる元画像データの取得要求を送信し、
前記第１の端末の前記投影用画像生成手段は、元画像データを前記拡大倍率にて拡大した拡大元画像データを生成し、
前記第２の送信手段は、前記投影用画像生成手段が生成した拡大元画像データを前記画像投影装置に送信し、
前記元画像受信手段は、前記取得要求送信手段で送信した取得要求に基づいた拡大倍率にて拡大された拡大元画像データを前記第１の端末から受信し、
前記元画像送信手段は、拡大元画像データを前記第２の端末に送信し、
前記問い合わせ手段が、拡大された元画像データの取得を要求するという応答を前記第２の端末から取得しない場合、
前記取得要求送信手段は、紐付け情報にて画像識別情報に対応づけられた前記端末識別情報の前記第１の端末に元画像データの取得要求を送信し、
前記元画像受信手段は、前記取得要求送信手段で送信した取得要求に基づいた元画像データを前記第１の端末から受信し、
前記元画像送信手段は、元画像データを前記第２の端末に送信する、
ことを特徴とする請求項１４記載の画像投影装置。
【請求項１７】
前記表示時間が所定値以上でない場合、
前記元画像送信手段は、元画像データ及び投影用画像データのいずれも前記第２の端末に送信しない、
ことを特徴とする請求項１５記載の画像投影装置。
【請求項１８】
前記履歴情報に予め定められた前記操作内容が記録されていない場合、
前記元画像送信手段は、元画像データ及び投影用画像データのいずれも前記第２の端末に送信しない、
ことを特徴とする請求項１４記載の画像投影装置。
【請求項１９】
元画像データを記憶する元画像データ記憶手段と、前記元画像データ記憶手段に記憶された元画像データから、該元画像データよりも情報量を削減した投影用画像データを生成する投影用画像生成手段と、投影用画像データの生成に用いられた元画像データを識別するための画像識別情報と該第１の端末を特定するための端末識別情報とが紐付けされた紐付け情報を生成する紐付け情報生成手段と、前記紐付け情報生成手段で生成された紐付け情報と前記投影用画像生成手段で生成された投影用画像データとを画像投影装置に送信する第１の送信手段と、画像投影装置から前記元画像データ記憶手段に記憶されている元画像データの取得要求を受信したとき、該取得要求に含まれる画像識別情報に基づいた元画像データを前記元画像データ記憶手段から読み出す元画像データ読み出し手段と、前記元画像データ読み出し手段が読み出した元画像データを画像投影装置に送信する第２の送信手段と、有する第１の端末、及び、
前記画像投影装置により投影されている画像データの取得要求を前記画像投影装置に送信し、該取得要求に基づいて前記画像投影装置が前記第１の端末から取得した元画像データを前記画像投影装置から取得する画像取得手段、を有する第２の端末と、
ネットワークを介して接続された画像投影装置に、
前記第１の送信手段により送信された投影用画像データと紐付け情報とを記憶する記憶手段から投影用画像データを読み出して投影する画像投影ステップと、
前記画像投影ステップにより投影された投影用画像データの取得要求を前記第２の端末から受信したとき、前記記憶手段に記憶されている紐付け情報に含まれる画像識別情報を含めた元画像データの取得要求を前記第１の端末に送信する取得要求送信ステップと、
前記取得要求送信手段で送信した取得要求に基づいた元画像データを前記第１の端末から受信する元画像受信ステップと、
前記元画像受信手段で受信した元画像データを前記第２の端末に送信する元画像送信ステップと、を実行させるプログラム。
【請求項２０】
画像データを投影する画像投影装置と、第１の端末と第２の端末とがネットワークを介して接続されたネットワークシステムであって、
前記第１の端末は、元画像データを記憶する元画像データ記憶手段と、
前記元画像データ記憶手段に記憶された元画像データから、該元画像データよりも情報量を削減した投影用画像データを生成する投影用画像生成手段と、
前記投影用画像データの生成に用いられた元画像データを識別するための画像識別情報と前記第１の端末を特定するための端末識別情報とが紐付けされた紐付け情報を生成する紐付け情報生成手段と、
前記投影用画像生成手段で生成された投影用画像データと、該投影用画像データに基づいて前記紐付け情報生成手段で生成された紐付け情報とを前記画像投影装置に送信する第１の送信手段と、
前記第２の端末から前記元画像データ記憶手段に記憶されている元画像データの取得要求を受信したとき、該取得要求に含まれる画像識別情報に基づいた元画像データを前記元画像データ記憶手段から読み出す元画像データ読み出し手段と、
前記元画像データ読み出し手段が読み出した元画像データを前記第２の端末に送信する第２の送信手段と、を有し、
前記第２の端末は、
前記画像投影装置により投影されている画像データの紐付け情報の取得要求を前記画像投影装置に送信し、該取得要求に基づいて前記画像投影装置から送信される紐付け情報を取得する第１の取得手段と、
前記第１の取得手段で取得した紐付け情報に含まれる端末識別情報により特定される前記第１の端末に、紐付け情報に含まれる画像識別情報と画像データの取得要求とを送信し、該画像識別情報に基づいた元画像データを前記第１の端末から取得する第２の取得手段と、を有し、
前記画像投影装置は、
前記第１の送信手段により送信された投影用画像データと紐付け情報とを記憶する記憶手段と、
前記記憶手段に記憶された投影用画像データを投影する画像投影手段と、
前記画像投影手段により投影された投影用画像データの取得要求を前記第２の端末から受信したとき、前記記憶手段に記憶されている紐付け情報を前記第２の端末に送信する紐付け情報送信手段と、を有する
ネットワークシステム。
【発明の詳細な説明】
【技術分野】
【０００１】
画像データから生成された画像を投影する画像投影装置と、一台以上の端末とがネットワークを介して接続されたネットワークシステムに関する。
【背景技術】
【０００２】
プロジェクタは、画像を拡大して投影することができることから、説明者などが同じ画像を複数の人に提示する、オフィスでの会議、各種プレゼンテーション、教育現場などの様々な状況で使われている。
【０００３】
また、プロジェクタは高機能化が進み、表示機能以外に様々な機能を搭載するようになっており、特に、ネットワークを介して他の情報機器と連携して実現する機能が充実してきている。例えば、ネットワークとの接続機能を有するプロジェクタは、ネットワークを介して接続されたＰＣ（Personal Computer）からの操作や画像ファイルを受信して、画像ファイルをデコードした画像を投影することができる。このようなプロジェクタには、ユーティリティソフトが付属しているのが一般的である。ＰＣはこのユーティリティソフトを利用することで、プロジェクタとの無線接続を簡単に行なうことや、所定のフォーマットの画像ファイルをファイル変換することができる。よって、機能が充実してもプロジェクタの使い勝手を向上させることができる。
【０００４】
例えば、プロジェクタがＪＰＥＧ形式の画像ファイルに対応している場合、ネットワークを介して接続されたＰＣはユーティリティソフトを利用して、ＰＣに記憶されている画像ファイルをプロジェクタが対応するＪＰＥＧ形式の画像ファイルに変換しプロジェクタに送信する。また、ＰＣのユーティリティソフトは必要であればプロジェクタが投影可能なフォーマット、解像度、色階調、圧縮率に画像ファイルを変換する。
【０００５】
プロジェクタでなくＰＣで行うのは、プロジェクタに搭載されているメモリ容量やＣＰＵの処理性能が一般的なＰＣよりも低く、また、受け付け可能な画像ファイルの解像度がＰＣで扱える解像度よりも低い場合があるためである。このため、ＰＣはユーティリティソフトを利用して、ＰＣに記憶されている画像ファイルからプロジェクタが対応可能な画像ファイルを生成し、プロジェクタに送信する必要がある。
【０００６】
ここで、プロジェクタが、投影中の画像ファイルを参加者のＰＣに送信する技術が知られている（例えば、特許文献１参照。）。特許文献１には、リアルタイムに投影している画像をキャプチャして画像ファイルとして参加者のＰＣに送信するプロジェクタが開示されている。参加者のＰＣはブラウザで画像ファイルを表示することができる。
【発明の概要】
【発明が解決しようとする課題】
【０００７】
しかしながら、プロジェクタが参加者のＰＣに送信する画像ファイルは、説明者がＰＣに記憶している画像ファイルと異なっているという問題がある。
【０００８】
図１は、参加者のＰＣに送信される画像ファイルと説明者がＰＣに記憶している画像ファイルの関係を説明する図の一例である。
（１）説明者のＰＣはユーティリティソフトを利用して送信前に元の画像ファイルを投影用の画像ファイルに送信する。
（２）説明者のＰＣは、投影用の画像ファイルをプロジェクタに送信する。送信により、元の画像ファイルと投影用の画像ファイルの対応情報は失われてしまう。
（３）プロジェクタは、投影用の画像ファイルをデコードして投影する。
（４）参加者が、参加者のＰＣを操作して投影中の画像をキャプチャする。
（５）プロジェクタは、参加者のＰＣに画像ファイルを送信する。
（６）この後、この参加者はＰＣを利用して画像ファイルを印刷するなど、利用することができる。
【０００９】
しかしながら、この画像ファイルは投影用の画像ファイルに変換されているので、印刷物もプロジェクタに最適化された低画質のものになるという問題がある。
【００１０】
本発明は、上記課題に鑑み、参加者に適切な画像データを送信することができるネットワークシステムを提供することを目的とする。
【課題を解決するための手段】
【００１１】
請求項１に係る発明は、画像データを投影する画像投影装置と、第１の端末と第２の端末とがネットワークを介して接続されたネットワークシステムであって、前記第１の端末は、元画像データを記憶する元画像データ記憶手段と、前記元画像データ記憶手段に記憶された元画像データから、該元画像データよりも情報量を削減した投影用画像データを生成する投影用画像生成手段と、前記投影用画像データの生成に用いられた元画像データを識別するための画像識別情報と前記第１の端末を特定するための端末識別情報とが紐付けされた紐付け情報を生成する紐付け情報生成手段と、前記投影用画像生成手段で生成された投影用画像データと、該投影用画像データに基づいて前記紐付け情報生成手段で生成された紐付け情報とを前記画像投影装置に送信する第１の送信手段と、前記画像投影装置から前記元画像データ記憶手段に記憶されている元画像データの取得要求を受信したとき、該取得要求に含まれる画像識別情報に基づいた元画像データを前記元画像データ記憶手段から読み出す元画像データ読み出し手段と、前記元画像データ読み出し手段が読み出した元画像データを前記画像投影装置に送信する第２の送信手段と、を有し、前記第２の端末は、前記画像投影装置により投影されている画像データの取得要求を前記画像投影装置に送信し、該取得要求に基づいて前記画像投影装置が前記第１の端末から取得した元画像データを前記画像投影装置から取得する画像取得手段と、を有し、前記画像投影装置は、前記第１の送信手段により送信された投影用画像データと紐付け情報とを記憶する記憶手段と、前記記憶手段に記憶された投影用画像データを投影する画像投影手段と、前記画像投影手段により投影された投影用画像データの取得要求を前記第２の端末から受信したとき、前記記憶手段に記憶されている紐付け情報に含まれる画像識別情報を含めた元画像データの取得要求を前記第１の端末に送信する取得要求送信手段と、前記取得要求送信手段で送信した取得要求に基づいた元画像データを前記第１の端末から受信する元画像受信手段と、前記元画像受信手段で受信した元画像データを前記第２の端末に送信する元画像送信手段と、を有する。
【発明の効果】
【００１２】
参加者に適切な画像データを送信することができるネットワークシステムを提供することができる。    
【図面の簡単な説明】
【００１３】
【図１】参加者のＰＣに送信される画像ファイルと説明者がＰＣに記憶している画像ファイルの関係を説明する図の一例である。
【図２】本実施形態の画像投影システムの概略を模式的に説明する図の一例である。
【図３】画像投影システムのシステム構成図の一例である。
【図４】プロジェクタのハードウェア構成図の一例を示す。
【図５】発表者端末又は参加者端末のハードウェア構成図の一例である。
【図６】プロジェクタ、発表者端末、及び、参加者端末の機能ブロック図の一例である。
【図７】紐付け情報の一例を示す図である。
【図８】履歴情報の一例を示す図である。
【図９】プロジェクタ、参加者端末及び発表者端末の動作手順を示すシーケンス図の一例である。
【図１０】プロジェクタ選択画面、投影画像ファイル選択画面の一例を示す図である。
【図１１】プロジェクタが投影した画像の一例を示す図である。
【図１２】参加者端末の表示装置に表示される画像情報入力画面の一例を示す図である。
【図１３】プロジェクタの動作手順を示すフローチャート図の一例である。
【図１４】元画像ファイルと投影用画像ファイル、及び、取得された画像を説明する図の一例である。
【図１５】画像投影システムによる画像ファイルの配信を模式的に説明する図の一例である。
【図１６】履歴情報の作成手順を示すフローチャート図の一例である。
【図１７】プロジェクタの動作手順を示すフローチャート図の一例である。
【図１８】画像投影システムによる画像ファイルの配信を模式的に説明する図の一例である。
【図１９】プロジェクタの動作手順を示すフローチャート図の一例である。
【図２０】プロジェクタの動作手順を示すフローチャート図の一例である。
【図２１】参加者端末の表示装置に表示される画像情報入力画面の一例を示す図である。
【図２２】プロジェクタの動作手順を示すフローチャート図の一例である。
【図２３】プロジェクタ、発表者端末、及び、参加者端末の機能ブロック図の一例である。
【図２４】履歴作成部が履歴情報を作成する手順を示すフローチャート図の一例である。
【図２５】履歴情報の一例を示す図である。
【図２６】プロジェクタの動作手順を示すフローチャート図の一例を示す。
【図２７】参加者端末の表示装置に表示される拡大問い合わせ画面の一例を示す図である。
【図２８】プロジェクタ、発表者端末、及び、参加者端末の機能ブロック図の一例である。
【図２９】参加者端末が元画像ファイルを取得する際のシーケンス図の一例である。
【発明を実施するための形態】
【００１４】
以下、本発明を実施するための一実施形態について図面を参照しながら説明する。
図２は、本実施形態の画像投影システムの概略を模式的に説明する図の一例である。本実施形態の画像投影システム３００は、参加者の端末が投影用の画像ファイルでなく、発表者が投影した元の画像ファイルを取得できる点に特徴の一つがある。以下、全体的な取得手順を説明する。
（１）発表者の端末はユーティリティソフトを利用して送信前に元の画像ファイルを投影用の画像ファイルに変換する。ユーティリティソフトは元の画像ファイルと投影用の画像ファイルを例えば同じファイル名にして、別のフォルダにそれぞれの画像ファイルを格納するなどして、両者を対応させておく。
（２）発表者の端末は、投影用の画像ファイルの画像ＩＤと、発表者端末のＩＰアドレス、及び、配布可否フラグを対応づけた紐付け情報を作成する。そして、紐付け情報と投影用の画像ファイルをプロジェクタ１００に送信する。
（３）プロジェクタ１００は、受信した紐付け情報を保存する。
（４）プロジェクタ１００は、投影用の画像ファイルをデコードして投影する。
（５）プロジェクタ１００は、投影した画像ファイルの投影履歴を記録する。図ではＡさんの画像ファイルを３つ投影したという投影履歴が記録されている。投影履歴には、画像ファイル毎に操作情報（拡大表示等）や表示時間等が登録されている。
（６）参加者は、印刷や保存しておきたい画像データを見つけると、参加者の端末を操作して投影中の画像のキャプチャをプロジェクタ１００に要求する。
（７）プロジェクタ１００は、紐付け情報を参照してキャプチャ要求された投影用の画像ファイルを送信した発表者端末を特定する。
（８）プロジェクタ１００は、元の画像ファイルを取得する場合、元の画像ファイルを記憶している発表者端末から元の画像ファイルを取得する。
（９）プロジェクタ１００は、キャプチャを要求した参加者端末に元の画像ファイルを送信する。
（１０）この後、この参加者は端末を利用して元の画像ファイルを印刷するなど、利用することができる。元の画像ファイルは投影用に変換されていないので、高品質な印刷物が得られる。
【００１５】
なお、以下では、元の画像ファイルを元画像ファイル、投影用の画像ファイルを投影用画像ファイルという。また、画像データと画像ファイルを区別せず、画像ファイルには画像データが含まれるものとする。
【００１６】
〔構成例〕
図３は、画像投影システム３００のシステム構成図の一例を示す。画像投影システム３００では、一台以上の参加者端末８０、発表者端末９０及びプロジェクタ１００がネットワーク１０１を介して接続されている。プロジェクタ１００と接続された端末の1つ以上は発表者が操作する端末であるが、発表者と参加者の関係は適宜切り替わることがあるため、固定とは限らない。以下、説明のため、発表者が使用する端末を発表者端末９０、参加者が使用する端末を参加者端末８０という。
【００１７】
ネットワークは、社内ＬＡＮ、広域ＬＡＮ（ＷＡＮ）、ＩＰ−ＶＮＰ（Virtual Private Network）、インターネットＶＰＮ、又は、インターネットなどであるが、これらが組み合わされたネットワーク等、参加者端末８０がプロジェクタ１００と通信可能であればよい。一部に電話回線を含んでいてもよく、また、有線接続か無線接続は問わない。
【００１８】
発表者端末９０は、自機の記憶領域に記憶された元画像ファイルを加工することで投影用画像ファイルを作成し、ネットワークを介してプロジェクタ１００に送信する。プロジェクタ１００は、ネットワークを介して発表者端末９０から送信された画像ファイルを、スクリーンなどの投影面に映し出す。
【００１９】
参加者、発表者、及び、プロジェクタ１００は、会議室など一つの共通の空間に存在している。参加者及び発表者は肉眼で投影された画像を見ることができ、また、プロジェクタ１００に接近してプロジェクタを操作することができる。参加者は、参加者端末８０を操作して、プロジェクタ１００が投影している画像の画像ファイルをプロジェクタ１００から取得することができる。
【００２０】
なお、プロジェクタ１００の処理能力を補うため、ネットワークにサーバを接続しておく構成形態もある。この場合、プロジェクタ１００の映像出力Ｉ／Ｆはサーバに接続される。サーバは、発表者端末９０及び参加者端末８０と通信して、発表者端末９０から画像ファイルを取得したり、画像ファイルを参加者端末８０に配信する。
【００２１】
図４は、プロジェクタ１００のハードウェア構成図の一例を示す。プロジェクタ１００は、ＣＰＵ１６により全体が制御され、ＣＰＵ１６に投影データメモリ１４、プログラムメモリ１５、投影部１８、ユーザＩ／Ｆ１７、無線ＬＡＮＩ／Ｆ１１、有線ＬＡＮＩ／Ｆ１２、ＶｉｄｅｏＩ／Ｆ１３が接続されている。接続形態は一例であってＣＰＵ等が互いにバスで接続されていてもよい。
【００２２】
ユーザＩ／Ｆは、ユーザがプロジェクタ１００に対して行う操作を受け付ける操作部と、ユーザに対し機器の状態を通知する表示部とを有する。操作部は、キーボードやスイッチ、タッチパネル、音声入力装置などである。表示部は、ＬＥＤランプ、液晶などである。
【００２３】
投影部１８は、投射・集光のレンズ、ランプやミラーなどを有する。なお、この投影部１８の光学系には、以下のようなタイプがあるが、どのような光学系を採用しても本実施形態の特徴部は影響されない。 まず、光源にはライトバルブ、ＬＥＤ、レーザ光等がある。また、光を面に投射するための偏向光学素子としては、ＤＬＰ（Digital Light Processing）やＬＣＯＳ（Liquid crystal on silicon）及びＭＥＭＳミラーを利用する方法が知られている。
【００２４】
有線ＬＡＮ Ｉ／ＦはEthernet（登録商標）等によりＬＡＮと接続するためのインターフェースである。 無線ＬＡＮ Ｉ／Ｆは、ＩＥＥＥ８０２.１１a/b/g/n等の規格にしたがい無線でＬＡＮと接続するためのインターフェースである。ＵＳＢメモリから画像ファイルを読み出すためのＵＳＢＩ／Ｆを有していてもよい。
【００２５】
投影データメモリ１４は投影用画像ファイルを記憶するためのメモリである。投影データメモリ１４は、例えばＤＲＡＭ、ＦｅＲＡＭ（Ferroelectric RAM）、ＭＲＡＭ（Magnetoresistive RAM）等の高速なメモリで構成される。
【００２６】
プログラムメモリ１５はプロジェクタ１００のＣＰＵが実行するプログラム１９を格納するメモリである。プログラムメモリ１５は、フラッシュメモリなどのＲＯＭで構成される。プロジェクタ１００はプログラム１９に記述された処理により各種制御を実現する。プログラム１９は記憶媒体２０に記憶された状態や、不図示のサーバからネットワークを介して配信される。
【００２７】
ＶｉｄｅｏＩ／Ｆ１３は、不図示のＰＣ（Personal Computer）からビデオ信号を入力するためのインタフェースである。ビデオ信号のインタフェースは種々あるが、例えばアナログ信号用のD-sub、S-VIDEO、デジタル信号用のHDMI、IEEE1394、DVI、DisplayPort  等が知られている。なお、本実施形態のプロジェクタ１００は、ネットワーク経由で画像ファイルを受信するので原則的にＶｉｄｅｏＩ／Ｆ１３は使用しない。この点で、ＰＣのＶｉｄｅｏＩ／Ｆとプロジェクタ１００のＶｉｄｅｏＩ／Ｆ１３を直接、接続して端末の表示部に表示される画面をプロジェクタ１００が投影する形態とは異なっている。
【００２８】
図５は、発表者端末９０又は参加者端末８０のハードウェア構成図の一例である。発表者端末９０又は参加者端末８０には、汎用的なＰＣを用いることができる。ＰＣ以外にも、携帯電話、スマートフォン、タブレットＰＣ、ＰＤＡ等が発表者端末９０又は参加者端末８０となりうる。発表者端末９０又は参加者端末８０はＣＰＵ２３により全体が制御され、ＣＰＵ２３には外部記憶装置２１、メモリ２２、ユーザＩ／Ｆ２４、表示装置２７、無線ＬＡＮＩ／Ｆ２５、及び、有線ＬＡＮＩ／Ｆ２６を有する。
【００２９】
外部記憶装置２１は例えばハードディスクドライブやソリッドステートドライブなど大容量の不揮発メモリである。必ずしも発表者端末９０又は参加者端末８０と一体である必要はなく、ネットワークに接続されたＮＡＳ（Network Attached Storage）でもよい。外部記憶装置２１にはＣＰＵが実行するためのプログラム２８、元画像ファイル及び投影用画像ファイルが記憶されることがある。
【００３０】
また、メモリ２２は、ＲＡＭ及びＲＯＭを区別せずに図示したもので、ＲＡＭには外部記憶装置２１のプログラムが読み出され、ＣＰＵはＲＡＭにアクセスしてプログラムを実行する。発表者端末９０又は参加者端末８０が実行するプログラムの１つはユーティリティソフトである。ユーティリティソフトは、プロジェクタ１００のメーカ（又はメーカと一体の第三者）が開発したものであり、プロジェクタ１００と一体に流通するか、プロジェクタ１００のライセンスを有するユーザであればサーバからダウンロードできるようになっている。プロジェクタ１００はユーティリティソフトを検出したり、認証することで、発表者端末９０又は参加者端末８０がプロジェクタ１００と通信することを許可する。
【００３１】
ユーザＩ／Ｆは、ユーザが発表者端末９０又は参加者端末８０に対して行う操作を受け付ける、キーボードやポインティングデバイス（マウス、トラックボール、タッチパッド）、タッチパネル、音声入力装置などである。表示装置２７は所定の解像度や色数等の画面情報を生成する機能とディスプレイの機能を含む。デスクトップＰＣの場合、ディスプレイの機能が一体とは限らない。なお、ディスプレイは、液晶、有機ＥＬ、又は、デジタルペーパ等である。
【００３２】
有線ＬＡＮ Ｉ／Ｆ及び無線ＬＡＮ Ｉ／Ｆについてはプロジェクタ１００と同様なので説明を省略する。
【実施例１】
【００３３】
図６は、本実施例のプロジェクタ１００、発表者端末９０、及び、参加者端末８０の機能ブロック図の一例を示す。
【００３４】
発表者端末９０は、投影画像生成部４２、紐付け情報生成部４３、画像ファイル送信部４４、及び、画像記憶部４５を有する。これらの機能は、発表者端末９０のハードウェアとＣＰＵが実行するプログラム（ユーティリティソフト）が協働することで実現される。
【００３５】
＜発表者端末＞
・画像記憶部４５には元画像ファイルが記憶されている。また、元画像ファイルから生成された投影用画像ファイルが一時的に、又は、元画像ファイルと共に記憶されることがある。
・投影画像生成部４２は、発表者が投影用に指示した元画像ファイルから、プロジェクタ１００が扱える態様の投影用画像ファイルを生成する。プロジェクタ１００が扱える態様の投影用画像ファイルの形式は、発表者端末９０がプロジェクタ１００に問い合わせることで取得できる。または、発表者が発表者端末９０に設定することもできる。
【００３６】
プロジェクタ１００が画像ファイルを扱えるか否かは、画像ファイルのフォーマットにより制限されることが多い。また、ピクセル数やファイルサイズが極端に大きい画像ファイルは、扱えるとしても動作が遅くなったり送信に時間がかかるなど不都合が多い。このため、投影画像生成部４２は、絶対的な条件として画像ファイルのフォーマットをプロジェクタ１００が扱えるものに変換し、画像ファイルのファイルサイズが所定値未満になるように画像ファイルのファイルサイズを低減する処理を行う。
【００３７】
以下、このような画像ファイルの変換を区別することなく投影用変換という。投影用変換は画像ファイルの低品質化をもたらすことが一般的である。投影用画像ファイルを作成する必要がない場合もある。
【００３８】
例えば、プロジェクタ１００が扱える投影用画像ファイルのフォーマットがJPEGで、画像記憶部４５に記憶された元画像ファイルのフォーマットがＢＭＰの場合、投影画像生成部４２はＢＭＰからJPEGにフォーマットを変換する。
【００３９】
また、プロジェクタ１００が扱える投影用画像ファイルの画像サイズがWXGA（1,280×800）、XGA（1,024×768）、SVGA（800×600）、VGA（640×480）であり、画像記憶部４５に記憶された元画像ファイルの画像サイズがSXGA (1280×1024)の場合、投影画像生成部４２は、最も近い画像サイズである例えばWXGA（1,280×800）に変換する。または、投影時の画像サイズを統一するため、決まった解像度（例えば、SVGA）に変換してもよい。画像ファイルの画像サイズを低下させる方法として、バイリニア法、バイキュービック法などがある。投影用画像ファイルが生成されても元画像ファイルは削除されない。
【００４０】
なお、画像サイズを低下させるだけでなく、投影画像生成部４２は高解像度化してもよい。こうすることで、低画素数の画像ファイルを高解像度化して投影することができる。画像ファイルを高解像度化させる方法として、バイキュービック法、ニアレストネイバー法などがある。
【００４１】
また、ピクセル数やファイルサイズが所定値以上の場合、元画像ファイルのファイルサイズを小さくする。具体的には、圧縮率を大きくする、色階調を低減する等の方法がある。圧縮率の変更は、ＪＰＥＧやＰＤＦなどのフォーマットで可能である。また、色階調の変更は、例えば、１画素の色数をＲＧＢ各８ビットから４ビットに変更することをいう。
【００４２】
なお、圧縮率について、ＪＰＥＧではファイルヘッダに圧縮率が記述されている場合はそれを利用して、圧縮率が低過ぎることを検出し、圧縮率を大きくすることで元画像ファイルを圧縮する。これにより、ファイルサイズを低減できる。また、元の圧縮率自体に関係なく、ファイルサイズが所定値未満になるように元画像ファイルを圧縮してもよい。
【００４３】
なお、投影画像生成部４２は、投影用画像ファイルと元画像ファイルを対応づけて画像記憶部４５に記憶する。元画像ファイルと投影用画像ファイルは、それぞれ一意の画像ＩＤにより識別される。画像ＩＤはファイル名とは別にユーティリティソフトが付与してもよいし、ファイル名を画像ＩＤとしてもよい。ファイル名を画像ＩＤとした場合、ファイルシステムにより同じフォルダ内では一意性が保証される。本実施例では簡単のため、ファイル名を画像ＩＤとする。
【００４４】
投影用画像ファイルと元画像ファイルを対応づけるとは、一方の画像ＩＤが定まれば他方の画像ＩＤも一意に定まることをいう。本実施例では投影用画像ファイルの画像ＩＤを元画像ファイルと同じままにして、２つのファイルを別のフォルダに格納する。これにより、投影用画像ファイルの画像ＩＤが分かれば元画像ファイルの画像ＩＤが分かる。なお、投影用画像ファイルの画像ＩＤと元画像ファイルの画像ＩＤを変えた場合は、両者の対応をテーブルなどに記録しておく。
【００４５】
・紐付け情報生成部４３は、投影用画像ファイルの画像ＩＤと自機（発表者端末）のＩＰアドレスを対応づける紐付け情報を生成する。紐付け情報は投影用画像ファイルと共にプロジェクタ１００に送信される。プロジェクタ１００は、紐付け情報により、投影用画像ファイルを送信した発表者端末９０を特定できる。
【００４６】
また、紐付け情報生成部４３は、発表者の設定を受け付けて、紐付け情報に配布可否フラグを登録する。配布可否フラグは、発表者が元画像ファイルの配布を許可するか否かが設定されるフラグである。
【００４７】
・画像ファイル送信部４４は、投影用画像ファイル又は元画像ファイルをプロジェクタに送信する。また、プロジェクタ１００から元画像ファイルの要求を受け付けた場合、画像ファイル送信部４４は、投影用画像ファイルの画像ＩＤに対応づけられた元画像ファイルを画像記憶部４５から読み出す。そして、プロジェクタ１００に送信する。
【００４８】
＜参加者端末＞
参加者端末８０は、画像情報受付部５２及び画像取得部５１を有する。この機能は、参加者端末８０のハードウェアとＣＰＵが実行するプログラム（ユーティリティソフト）が協働することで実現される。
・画像情報受付部５２は、参加者から元画像ファイルを特定するための画像情報（資料ＩＤ、必要であればプロジェクタのＩＰアドレス）を受け付ける。なお、資料ＩＤは投影用画像ファイルの画像ＩＤと同じか、プロジェクタが投影用画像ファイルの画像ＩＤを特定できるものである。
・画像取得部５１は、プロジェクタ１００が投影している投影用画像ファイルの元画像ファイルを、プロジェクタ１００から取得する。
【００４９】
＜プロジェクタ＞
プロジェクタ１００は、紐付け情報記憶部３０、画像投影部３２、投影画像記憶部３５、操作受付部３１、履歴作成部３３、履歴情報記憶部３４、元画像取得部３６、及び、元画像送信部３７を有する。これらの機能は、プロジェクタ１００のハードウェアとＣＰＵが実行するプログラムが協働することで実現される。
・紐付け情報記憶部３０には、紐付け情報が記憶される。
・操作受付部３１は、ユーザからの拡大操作などを受け付ける。また、操作受付部３１は、参加者端末８０から元画像ファイルの取得要求を受け付ける。
・投影画像記憶部３５は、自機が取得した画像ファイルを記憶し、取得した紐付け情報を紐付け情報記憶部３０に記憶する。投影画像記憶部３５は、静的な画像ファイルの記憶手段としてだけの機能でなく、紐付け情報や履歴情報に基づく制御を行う。また、投影用画像ファイルに対し画像処理を行う画像処理部３８を有する。
・画像投影部３２は、投影画像記憶部３５に記憶されている画像ファイルを投影部１８に出力して投影する。画像ファイルは、JPEG、ＰＤＦなどの所定のフォーマットで送信されるので、画像投影部３２はこれをデコードしてビットマップデータに変換して投影データメモリ１４に記憶し、投影部１８に投影させる。
・履歴作成部３３は、投影用画像ファイルの投影履歴、及び、操作の履歴を記録した履歴情報を作成する。
・元画像取得部３６は、紐付け情報にて画像ＩＤに対応付けられたＩＰアドレスの発表者端末９０に元画像ファイルを要求し、発表者端末９０から元画像ファイルを取得する。
・元画像送信部３７は、元画像取得部３６が取得した元画像ファイルを参加者端末８０に配信する。
【００５０】
〔紐付け情報等について〕
＜紐付け情報＞
図７は紐付け情報の一例を示す。発表者端末９０は、１つのレコードとして紐付け情報を生成して投影用画像ファイルと共にプロジェクタ１００に送信する。プロジェクタ１００は、過去の所定数のレコードを例えば紐付け情報記憶部３０に記憶しておく。紐付け情報は、例えば、「投影用画像ファイルの画像ＩＤ」「発表者端末のＩＰアドレス」及び「配布可否フラグ」の各項目を有する。
【００５１】
「投影用画像ファイルの画像ＩＤ」は、発表者端末９０から受信した投影用画像ファイルを一意に特定するための画像ＩＤである。発表者端末９０が複数ある場合、投影用画像ファイルの画像ＩＤが重複する可能性があるが、発表者端末９０のＩＰアドレスは一意なのでプロジェクタ１００は画像ＩＤにより投影用画像ファイルを一意に特定できる。
【００５２】
「発表者端末のＩＰアドレス」は、投影用画像ファイルを送信した発表者端末９０のＩＰアドレスである。発表者端末９０を一意に識別するための識別子であれば、ＭＡＣアドレスやユーザ名などでもよい。例えば、「発表者端末のＩＰアドレス」をみると二種類のＩＰアドレスが登録されていることから、発表者が二人いたことが分かる。
【００５３】
「配布可否フラグ」は、参加者端末８０へ画像ファイルの配信の可否を示すフラグである。例えば「００」は元画像ファイルも投影用画像ファイルも許可されていることを、「０１」は投影用画像ファイルなら配信が許可されていることを、「１０」は元画像ファイル及び投影用画像ファイルの配信が許可されていないことを、それぞれ示す。配布可否は発表者が発表者端末９０にて設定することができる。
【００５４】
＜履歴情報＞
図８は、履歴情報の一例を示す。履歴情報は、例えば「投影用画像ファイルの画像ＩＤ」「表示開始時刻」「表示終了時刻」及び「操作履歴」の各項目を有する。
【００５５】
「投影用画像ファイルの画像ＩＤ」は、発表者端末９０から送信された投影画像ファイルの画像ＩＤである。
【００５６】
「表示開始時刻」はプロジェクタ１００が投影画像ファイルの投影を開始した時刻であり、「表示終了時刻」はプロジェクタ１００が投影用画像ファイルの投影を終了した時刻である。両者の差から１つの投影用画像ファイルの表示時間が算出される。
【００５７】
「操作履歴」はプロジェクタ１００に対する操作内容である。操作内容には、プロジェクタ１００のユーザＩ／Ｆが受け付けた操作の内容が記憶される。操作内容には例えば、投影される画像の拡大、縮小、輝度調整などがある。操作された時刻情報を登録してもよい。なお、参加者端末８０又は発表者端末９０からネットワークを介して操作コマンドがプロジェクタ１００に送信される場合もある。この場合は、操作内容に操作コマンドを送信した参加者端末８０又は発表者端末９０のＩＰアドレスが登録される。
【００５８】
〔通信について〕
プロジェクタ１００、発表者端末９０及び参加者端末８０は、上記のように有線又は無線ＬＡＮにより通信するが、ＬＡＮ内の通信ではイーサネット（登録商標）が使用されることが多い。イーサネット（登録商標）では、有線ＬＡＮＩ／Ｆ又は無線ＬＡＮＩ／Ｆが、ＡＲＰ等のプロトコルにより各機器のＭＡＣアドレス及びＩＰアドレスを取得している。イーサネット（登録商標）より上層には、パケットの分解と再構築を行うＩＰ層、通信制御を行うＴＣＰ層、データを処理するアプリケーション層がある。ＩＰ層とＴＣＰ層は、例えばＯＳが提供するＴＣＰ／ＩＰプロトコルスタックにより処理され、ＩＰ層で使用されるＩＰヘッダには送信元と送信先のＩＰアドレスが含まれ、ＴＣＰ層で使用されるＴＣＰヘッダには送信元ポート番号と送信先ポート番号が含まれる。ＴＣＰ／ＩＰプロトコルスタックは、このポート番号により受信したデータを受け渡すアプリケーションソフトを決定する。
【００５９】
本実施形態ではプロジェクタ１００、発表者端末９０及び参加者端末８０がどのようなアプリケーションソフトを用いて通信してもよい。例えば、ブラウザやファイル転送ソフトであればアプリケーション層のプロトコルとしてHTTPやＦＴＰにより通信することができる。ＳＭＢは、ネットワーク越しのファイルを共有するためのプロトコルであるが、参加者端末８０からＯＳやファイル管理ソフトによりＩＰアドレスを指定してプロジェクタ１００にファイルの転送を要求できる（ＳＭＢの下位層はＴＣＰ／ＩＰでなくＮｅｔＢＩＯＳになる）。また、ＲＰＣプロトコルを使用して、プロセス間通信により画像ファイルの送信と受信を実現することもできる。
【００６０】
〔動作手順〕
＜投影までの動作＞
図９は、プロジェクタ１００、参加者端末８０及び発表者端末９０の動作手順を示すシーケンス図の一例である。なお、発表者端末９０、参加者端末８０のプログラムは予め互いのＩＰアドレスを特定（取得）している。
s1.0：発表者は、発表者端末９０を操作して画像を投影する操作を行う。
図１０（ａ）は発表者端末９０の表示装置２７に表示されるプロジェクタ選択画面の一例を示す図である。発表者端末９０のプログラムは検出されたプロジェクタ１００のＩＰアドレス又はプロジェクタ名を表示する。図示するように複数のＩＰアドレス又はプロジェクタ名が表示されることもある。この画面には「プロジェクタを指定してください」というメッセージ３０１が表示されており、発表者はこの中から予め既知のプロジェクタを選択する。これにより、発表者端末９０が投影用画像ファイルを送信するプロジェクタ１００が特定される。
【００６１】
図１０（ｂ）は発表者端末９０の表示装置２７に表示される投影画像ファイル選択画面の一例を示す図である。発表者が画像ファイルを投影したいと考えた場合、発表者は「投影する画像ファイル指定してください」というメッセージ４０１が表示された投影画像ファイル選択画面を発表者端末９０に表示させる。
【００６２】
発表者は、元画像ファイルを選択するためユーザＩ／Ｆを操作して参照ボタン４０２を押下する。発表者端末９０のプログラムはフォルダのツリー構造及び各フォルダの元画像ファイルのファイル名を表示装置２７に表示する。発表者はこれを見て送信する元画像ファイルを決定する。発表者が送信対象に指定した元画像ファイルのファイル名は、ファイル名欄４０３に表示される。また、好ましくは、発表者端末９０のプログラムは元画像ファイルのサムネイル４０４をファイル名と共に表示する。
【００６３】
また、投影画像ファイルの選択画面には、「配信可」「投影用は可」「不可」のラジオボタン４０５が表示される。発表者はこのラジオボタン４０５の選択により、元画像ファイル又は投影用画像ファイルの配布可否を設定できる。「配信可」では元画像ファイル及び投影用画像ファイルの配信が許可され、「投影用は可」では投影用画像ファイルのみ配信が許可され、「不可」では元画像ファイル及び投影用画像ファイルの配信が禁止される。
【００６４】
発表者が送信ボタン４０６を押下すると投影画像生成部４２は投影対象の元画像ファイルの指定及び配布可否の設定を受け付ける。
【００６５】
s1.1：投影画像生成部４２は、プロジェクタ（例えば投影画像記憶部３５）に投影可能なファイルフォーマット、画像サイズ等を問い合わせる。
s1.2：プロジェクタ１００は投影可能なファイルフォーマットや画像サイズ、ファイルサイズを投影画像生成部４２に送信する。すなわち、プロジェクタ１００は下記のような情報を送信する。
ファイルフォーマット：ＪＰＥＧ、ＢＭＰ
画像サイズ（最大）：６４０×４８０
ファイルサイズ：１Ｍバイト
s1.3：投影画像生成部４２は元画像ファイルを投影可能なファイルフォーマット、画像サイズ及びファイルサイズに変換する。これにより、投影用画像ファイルが生成され、画像記憶部４５には元画像ファイルと投影用画像ファイルとが対応づけて記憶される。
s1.4：次に、投影画像生成部４２は、紐付け情報生成部４３に紐付け情報の生成を要求する。要求の際、投影画像生成部４２は紐付け情報生成部４３に投影用画像ファイルの画像ＩＤ、配布可否の設定を通知する。紐付け情報生成部４３はこれらと自機（発表者端末）のＩＰアドレスを用いて、紐付け情報を生成する。
s1.5：投影画像生成部４２は、紐付け情報を取得する。
s1.6：投影画像生成部４２は、投影用画像ファイル及び紐付け情報を画像ファイル送信部４４に送出する。
s1.7：画像ファイル送信部４４は、投影用画像ファイル及び紐付け情報をプロジェクタ１００に送信する。
s1.8：投影用画像ファイル及び紐付け情報を受信した投影画像記憶部３５は、履歴作成部３３に履歴情報の作成を要求する。要求の際、投影画像記憶部３５は紐付け情報を履歴作成部３３に通知する。
s1.9：履歴作成部３３は履歴情報に投影用画像ファイルの画像ＩＤ、表示開始時刻を登録して、履歴情報を生成する。新たな履歴情報を生成する際、それまで表示していた投影用画像ファイルの履歴情報の「表示終了時刻」に現在時刻を登録する。
s2.0：履歴作成部３３は履歴情報を履歴情報記憶部３４に記憶する。
s2.1：履歴情報記憶部３４は記憶結果を履歴作成部３３に送出する。
s2.2：履歴作成部３３は履歴情報の生成結果を投影画像記憶部３５に送出する。
s2.3：プロジェクタの投影画像記憶部３５は、画像投影部３２に投影用画像ファイルを送出すると共に、画像の投影を要求する。これにより、画像投影部３２は投影用画像ファイルをデコードしてスクリーン等に投影する。このように画像投影部３２は、最後に送信された投影用画像ファイルを表示する。
【００６６】
なお、投影画像記憶部３５は投影用画像ファイルの資料ＩＤとＩＰアドレスを投影部１８に送出しておく。画像投影部３２はプロジェクタ１００のＩＰアドレスと資料ＩＤを画像と一緒に表示する。これにより、参加者は元画像ファイルを取得する場合に、要求先のプロジェクタのＩＰアドレスと資料ＩＤを知ることができる。
s2.4：画像投影部３２は投影結果を投影画像記憶部３５に送出する。
s2.5：投影画像記憶部３５は投影結果を画像ファイル送信部４４に送出する。
s2.6：画像ファイル送信部４４は投影結果を投影画像生成部４２に送出する。
s2.7：投影画像生成部４２は、投影結果を発表者に通知する。
【００６７】
図１１は、プロジェクタ１００が投影した画像の一例を示す図である。投影用画像ファイルが可視光により可視化され、また、画像の下部に接続先ＩＰアドレス及び資料ＩＤが表示されている。接続先ＩＰアドレスは、プロジェクタ１００のＩＰアドレスである。資料ＩＤはプロジェクタ１００が投影用画像ファイルを一意に識別するための識別子である。資料ＩＤは例えば投影用画像ファイルの画像ＩＤでもよいし、図示するように日付と投影用画像ファイルの連番を組み合わせたものでもよい。後者の場合、プロジェクタ１００は資料ＩＤと画像ＩＤとの対応関係を記憶している。
【００６８】
＜投影後のプロジェクタの動作＞
参加者や発表者が投影された画像を見て、見づらいためにプロジェクタ１００のユーザＩ／Ｆを操作して、例えば拡大する操作を行う場合がある。本実施例のプロジェクタ１００はこの操作を履歴情報に記録する。
【００６９】
s3.0：まず、投影機器操作者（参加者又は発表者のいずれでもよい）がプロジェクタ１００のユーザＩ／Ｆを操作して画像を拡大させる。
s3.1：操作受付部３１は、操作内容を投影画像記憶部３５に通知する。
s3.2：投影画像記憶部３５は、操作内容と現在投影している投影用画像ファイルの画像ＩＤを履歴作成部３３に通知する。
s3.3：履歴作成部３３は、画像ＩＤにより履歴情報のレコードを特定し、操作内容を履歴情報記憶部３４に記録する。
s3.4：履歴情報記憶部３４は記憶結果を履歴作成部３３に送出する。
s3.5：履歴作成部３３は履歴情報の生成結果を投影画像記憶部３５に送出する。
s3.6：投影画像記憶部（画像処理部３８）は投影用画像ファイルに対し拡大処理を施す。この拡大処理はデジタルズームと呼ばれる処理で、投影用画像ファイルの所定範囲をトリミングして投影機器操作者が指定した拡大の程度に基づき、画素を補間することで投影用画像ファイルを拡大する。
s3.7：投影画像記憶部３５は、画像投影部３２に拡大された投影用画像ファイルを送出すると共に、画像の投影を要求する。画像投影部３２は、最後に送信された投影用画像ファイルに代えて、最後に送信された投影用画像ファイルを拡大した画像を表示する。なお、拡大されても、投影用画像ファイルの画像ＩＤには変更がないので、投影用画像ファイルの履歴情報の「表示終了時刻」には現在時刻は登録されない。
s3.8：画像投影部３２は投影結果を投影画像記憶部３５に送出する。
s3.9：投影画像記憶部３５は投影結果を操作受付部３１に送出する。
【００７０】
＜参加者端末による元画像ファイルの取得＞
参加者が、プロジェクタ１００が投影している元画像ファイルを取得したいと考えた場合、参加者は参加者端末８０を使用して元画像ファイルを取得することができる。
s4.11：参加者は、参加者端末８０を操作して元画像ファイルを取得する操作を行う。参加者端末８０のプログラムは、発表者端末９０と同様に検出したプロジェクタ１００のＩＰアドレスによりプロジェクタ１００と接続している。または、参加者が、プロジェクタ１００が投影しているＩＰアドレスを入力して参加者端末８０とプロジェクタ１００を接続する。
【００７１】
図１２（ａ）は、参加者端末８０の表示装置２７に表示される画像情報入力画面の一例を示す図である。画像情報入力画面には「取得したい発表資料のＩＤを指定してください」というメッセージ５０１が表示されている。参加者は、プロジェクタ１００が投影している資料ＩＤを目視して、ユーザＩ／Ｆを使いＩＤ入力欄５０２に資料ＩＤを入力する。参加者が決定ボタン５０３を押下すると、画像情報受付部５２は資料ＩＤを受け付ける。
【００７２】
s4.12：画像情報受付部５２は画像取得部５１に資料ＩＤを送出すると共に、元画像ファイルの取得を要求する。
s4.13：画像取得部５１は、プロジェクタ１００の操作受付部３１に資料ＩＤを送出して、元画像ファイルの送信を要求する。
s4.14：操作受付部３１は、資料ＩＤを投影画像記憶部３５に送出すると共に、発表者端末９０のＩＰアドレスを要求する。
s4.15：投影画像記憶部３５は資料ＩＤを画像ＩＤに変換して、紐付け情報にて画像ＩＤに対応づけられた発表者端末９０のＩＰアドレスを読み出す。投影画像記憶部３５は、紐付け情報を参照してこの画像ＩＤの元画像ファイルの配布が許可されているか否かを判定する。
s4.16：操作受付部３１は発表者端末９０のＩＰアドレスを投影画像記憶部３５から取得する。
s4.17：操作受付部３１は、発表者端末９０のＩＰアドレスと画像ＩＤを元画像取得部３６に送出して、元画像ファイルの取得を要求する。
s4.18：元画像取得部３６は、発表者端末９０のＩＰアドレスを指定して発表者端末９０の画像ファイル送信部４４に画像ＩＤを送信し、元画像ファイルを要求する。
s4.19：画像ファイル送信部４４は、画像ＩＤに基づき画像記憶部４５から元画像ファイルを読み出す。
s4.20：画像ファイル送信部４４は、元画像ファイルを元画像取得部３６に送信する。
s4.21：元画像取得部３６は、元画像ファイルを操作受付部３１に送出する。
s4.22：操作受付部３１は、元画像ファイルを元画像送信部３７に送出する。
s4.221〜s4.222：元画像送信部３７は元画像ファイルを参加者端末８０に送信する。元画像送信部３７は、例えば、元画像ファイルを含むHTMLを生成し参加者端末８０に送信する。または、元画像ファイルそのものを送信してもよい。
s4.23：元画像送信部３７は元画像ファイルの送信結果を操作受付部３１に通知する。
s4.24：操作受付部３１は、元画像ファイルの送信完了を画像取得部５１に通知する。
s4.25：画像取得部５１は元画像ファイルの受信を画像情報受付部５２に通知する。
s4.26：画像情報受付部５２は、元画像ファイルを受信したこと参加者に通知する。
【００７３】
図１２(b)は、参加者端末８０の表示装置２７に表示された元画像ファイルの画像例を示す図である。参加者端末８０の例えばブラウザは元画像ファイルを表示する。これにより、参加者はプロジェクタ１００が投影した画像の元画像ファイルを取得できた。したがって、参加者は投影のために画質が低下する前の画像ファイルを使用して印刷等することができる。
【００７４】
＜元画像の差し替え時のフローチャート図＞
図１３は、プロジェクタ１００の動作手順を示すフローチャート図の一例を示す。図９のステップＳ4.13〜s4.26の処理手順を説明するものである。
【００７５】
まず、プロジェクタ１００の操作受付部３１は、元画像ファイルの配信要求を受信する（Ｓ１０）。
【００７６】
投影画像記憶部３５は画像ＩＤにより特定される紐付け情報を読み出す（Ｓ２０）。
【００７７】
投影画像記憶部３５は、紐付け情報に登録された配布可否フラグを参照し、元画像ファイルの配信又は投影用画像ファイルの配信が許可されているか否かを判定する（Ｓ３０）。
【００７８】
元画像ファイルの配信が許可されている場合、投影画像記憶部３５は紐付け情報から発表者端末９０のＩＰアドレスを特定する（Ｓ４０）。
そして、元画像取得部３６は発表者端末９０から元画像ファイルを取得する（Ｓ５０）。元画像送信部３７は元画像ファイルを参加者端末８０に送信する（Ｓ６０）。
【００７９】
元画像ファイルの配信は許可されていないが、投影用画像ファイルの配信は許可されている場合、投影画像記憶部３５は投影用画像ファイルを読み出す（Ｓ７０）。このように、投影用画像ファイルを送信する場合、発表者端末９０から投影用画像ファイルを取得する必要はない。
【００８０】
元画像送信部３７は投影用画像ファイルを参加者端末８０に送信する（Ｓ８０）。
【００８１】
元画像ファイルの配信も投影用画像ファイルの配信も禁止されている場合、元画像送信部３７は配信不可を参加者端末８０に送信する（Ｓ９０）。
【００８２】
以上のように、参加者は、元画像ファイルを取得でき、元画像ファイルが取得できない場合は投影用画像ファイルを取得できる可能性がある。
【００８３】
図１４は元画像ファイルと投影用画像ファイル、及び、取得された画像を説明する図の一例である。
【００８４】
図１４（ａ）はステップＳ６０により参加者が元画像ファイルを取得した例を、図１４（ｂ）はステップＳ７０により参加者が投影用画像ファイルを取得した例を、図１４（ｃ）はステップＳ９０により参加者が元画像ファイルと投影用画像ファイルのどちらも取得できなかった例を、それぞれ示す。
【００８５】
図１４（ａ）（ｂ）の中央に示すように投影用画像ファイルは投影用変換されているため、元画像ファイルよりも画質が劣化したり、画像サイズが小さくなったりしている。したがって、図１４（ａ）の右図のように元画像ファイルを取得すれば高画質な画像ファイルが得られる。
【００８６】
一方、図１４（ｂ）の右図のように、元画像ファイルを取得できなくても投影用画像ファイルを取得できれば、画像の内容を理解することが可能になる。この時、取得された画像ファイルが投影用画像ファイルであることを参加者に通知することが好適である。
【００８７】
また、図１４（ｃ）に示す「要求した画像ファイルは取得できません」のメッセージにより、参加者は画像ファイルを取得できないことを把握できる。
【００８８】
このように、本実施例の画像投影システム２００は、元画像ファイルを参加者に配信できるので、参加者は高画質な資料を入手して印刷等することができる。また、参加者端末８０が取得する画像ファイルを柔軟に制御することができる。
【実施例２】
【００８９】
本実施例では履歴情報に基づき元画像ファイルを配信するか否かを制御する画像投影システム３００について説明する。
【００９０】
実施例１で説明したように、プロジェクタ１００は履歴情報を作成しているが、履歴情報には表示開始時刻と表示終了時刻が登録されている。ここで、表示されている時間が長い投影用画像ファイルは参加者や発表者にとって重要な画像ファイルの可能性が高い。また、重要でない画像ファイルであれば参加者にとって元画像ファイルでなく投影用画像ファイルで十分な場合も多いと考えられる。
【００９１】
そこで、本実施例のプロジェクタ１００は、履歴情報の表示開始時刻と表示終了時刻を利用して、表示時間の長い投影用画像ファイルは元画像ファイルを参加者端末８０に配信し、そうでない投影用画像ファイルはそのまま投影用画像ファイルを参加者端末８０に配信する。
【００９２】
図１５は、本実施例の画像投影システム３００による画像ファイルの配信を模式的に説明する図の一例である。図１５（ａ）は投影履歴を模式的に示す図で、２番目の投影用画像ファイルは表示時間が例えば１分以上であったとする。
【００９３】
図１５（ｂ）は参加者端末８０に配信される画像ファイルを模式的に示す図である。参加者が例えば３つとも画像ファイルの配信を要求したとする。プロジェクタ１００は、履歴情報を参照して、１番目の画像ファイルは表示時間が短いので投影用画像ファイルを配信すると判定する。２番目の画像ファイルは表示時間が長いので元画像ファイルを配信すると判定する。３番目の画像ファイルは表示時間が短いので投影用画像ファイルを配信すると判定する。このような判定により、参加者端末８０は２番目の画像ファイルだけ元画像ファイルを取得する。
【００９４】
したがって、本実施例の画像投影システム３００は、重要性の高い画像ファイルのみ選択的に高画質な画像ファイルを配信できる。また、重要性の低い画像ファイルは投影用画像ファイルを送信するので、ネットワークの負荷を低減できる。
【００９５】
図１６は、履歴情報の作成手順を示すフローチャート図の一例である。このフローチャート図は、図９のs1.9の処理を詳細に説明するものである。よって、投影画像記憶部３５はすでに投影用画像ファイルを生成しており、履歴作成部３３は投影用画像ファイルの画像ＩＤを取得している（Ｓ１１０）。
【００９６】
履歴作成部３３は、投影用画像ファイルの画像ＩＤに対応づけて、現在時刻を表示開始時刻に登録する（Ｓ１２０）。これにより、履歴情報は例えば次のようになる。
画像ＩＤ：2.jpg
表示開始時刻：23:00
次に、履歴作成部３３は現在、画像投影部３２が投影している画像があるか否かを判定する（Ｓ１３０）。投影中の画像があるか否かは投影画像記憶部３５により管理されている。
【００９７】
投影中の画像がない場合（Ｓ１３０のＮｏ）、履歴作成部３３は表示終了時刻を登録できないので、処理を終了する。
【００９８】
投影中の画像がある場合（Ｓ１３０のＹｅｓ）、履歴作成部３３は投影中の投影用画像ファイルの画像ＩＤに対応づけて現在時刻を表示終了時刻に登録する（Ｓ１４０）。こうすることで、表示時間を確定することができる。
これにより、履歴情報は例えば次のようになる。
画像ＩＤ：１.jpg
表示終了時刻：23:00
図１７は、プロジェクタ１００の動作手順を示すフローチャート図の一例を示す。図１７は、図９のステップＳ4.13〜s4.26の処理手順を説明するものである。処理手順は図１３と同様だがステップＳ２２の処理が異なっている。
【００９９】
まず、プロジェクタ１００の操作受付部３１は、元画像ファイルの配信要求を受信する（Ｓ１０）。
【０１００】
投影画像記憶部３５は画像ＩＤにより特定される紐付け情報と履歴情報を読み出す（Ｓ１５）。
【０１０１】
次に投影画像記憶部３５は、履歴情報の表示開始時刻と表示終了時刻から表示時間を計算し、表示時間が例えば1分以上か否かを判定する（Ｓ２２）。ここで、画像投影部３２が投影中であるため、表示終了時刻が記録されていない投影用画像ファイルの場合、投影画像記憶部３５は現在時刻までの表示時間を算出する。
【０１０２】
表示時間が1分以上の場合（Ｓ２２のＹｅｓ）、投影画像記憶部３５は元画像ファイルを配信候補に決定する（Ｓ２３）。
【０１０３】
表示時間が1分以上でない場合（Ｓ２２のＮｏ）、投影画像記憶部３５は投影用画像ファイルを配信候補に決定する（Ｓ２４）。
【０１０４】
さて、画像ファイルが重要であると判明しても、発表者が設定した配布可否は有効なので、以降、図１３と同様に判定される。
【０１０５】
投影画像記憶部３５は、紐付け情報に登録された配布可否フラグを参照し、元画像ファイルの配信又は投影用画像ファイルの配信が許可されているか否かを判定する（Ｓ３０）。
【０１０６】
元画像ファイルが配信候補でかつ元画像ファイルの配信が許可されている場合、投影画像記憶部３５は紐付け情報から発表者端末９０のＩＰアドレスを特定する（Ｓ４０）。
そして、元画像取得部３６は発表者端末９０から元画像ファイルを取得する（Ｓ５０）。元画像送信部３７は元画像ファイルを参加者端末８０に送信する（Ｓ６０）。
【０１０７】
元画像ファイルが配信候補でかつ投影用画像ファイルの配信は許可されている（元画像ファイルの配信は許可されていない）場合、又は、投影用画像ファイルが配信候補でかつ投影用画像ファイルの配信は許可されている場合、投影画像記憶部３５は投影用画像ファイルを読み出す（Ｓ７０）。元画像送信部３７は投影用画像ファイルを参加者端末８０に送信する（Ｓ８０）。
【０１０８】
配信候補の画像ファイルに関係なく、元画像ファイルの配信も投影用画像ファイルの配信も禁止されている場合、元画像送信部３７は配信不可を参加者端末８０に送信する（Ｓ９０）。
【０１０９】
以上説明したように、本実施例の画像投影システムは、配布可否の設定に従いながら、重要度の高いと判定された投影用画像ファイルの元画像ファイルの配信要求に対してのみ、元画像ファイルを配信することができる。
【実施例３】
【０１１０】
実施例２では、配信要求された投影用画像ファイルが重要か否かにより元画像ファイルを配信するか否かを制御した。しかし、参加者は、重要でなくても見づらかった投影用画像ファイルを参加者端末８０で確認したいと考える場合がある。
【０１１１】
そこで、本実施例のプロジェクタ１００は、履歴情報の操作履歴を利用して、操作履歴により見づらかったと判定される投影用画像ファイルは元画像ファイルを参加者端末８０に配信し、そうでない投影用画像ファイルはそのまま投影用画像ファイルを参加者端末８０に配信する。ここで、見づらかったと判定される投影用画像ファイルは、例えば操作履歴に「拡大」が記録されているものをいう。
【０１１２】
図１８は、本実施例の画像投影システム３００による画像ファイルの配信を模式的に説明する図の一例である。図１８（ａ）は履歴情報を模式的に示す図で、２番目の投影用画像ファイルに拡大の操作履歴が記録されていたとする。
【０１１３】
図１８（ｂ）は参加者端末８０に配信される画像ファイルを模式的に示す図である。参加者が例えば３つとも画像ファイルの配信を要求したとする。プロジェクタ１００は、履歴情報を参照して、１番目の画像ファイルは拡大の操作履歴がないので投影用画像ファイルを配信すると判定する。２番目の画像ファイルは拡大の操作履歴があるので元画像ファイルを配信すると判定する。３番目の画像ファイルは拡大の操作履歴がないので投影用画像ファイルを配信すると判定する。このような判定により、参加者端末８０は２番目の画像ファイルだけ元画像ファイルを取得する。
【０１１４】
したがって、本実施例の画像投影システム３００は、参加者が見づらかった画像ファイルのみ高画質な画像ファイルを配信できる。また、見づらくない画像ファイルは投影用画像ファイルを送信するので、ネットワークの負荷を低減できる。
【０１１５】
図１９は、プロジェクタ１００の動作手順を示すフローチャート図の一例を示す。図１９は、図９のステップＳ4.13〜s4.26の処理手順を説明するものである。処理手順は図１３と同様だがステップＳ２１の処理が異なっている。
【０１１６】
まず、プロジェクタ１００の操作受付部３１は、元画像ファイルの配信要求を受信する（Ｓ１０）。
【０１１７】
投影画像記憶部３５は画像ＩＤにより特定される紐付け情報と履歴情報を読み出す（Ｓ１５）。
【０１１８】
次に投影画像記憶部３５は、履歴情報に拡大の操作履歴があるか否かを判定する（Ｓ２１）。
【０１１９】
拡大の操作履歴がある場合（Ｓ２１のＹｅｓ）、投影画像記憶部３５は元画像ファイルを配信候補に決定する（Ｓ２３）。
【０１２０】
拡大の操作履歴がない場合（Ｓ２１のＮｏ）、投影画像記憶部３５は投影用画像ファイルを配信候補に決定する（Ｓ２４）。
【０１２１】
画像ファイルが見づらい場合でも、発表者が設定した配布可否は有効なので、以降、図１３と同様に判定される。
【０１２２】
投影画像記憶部３５は、紐付け情報に登録された配布可否フラグを参照し、元画像ファイルの配信又は投影用画像ファイルの配信が許可されているか否かを判定する（Ｓ３０）。
【０１２３】
元画像ファイルが配信候補でかつ元画像ファイルの配信が許可されている場合、投影画像記憶部３５は紐付け情報から発表者端末９０のＩＰアドレスを特定する（Ｓ４０）。
そして、元画像取得部３６は発表者端末９０から元画像ファイルを取得する（Ｓ５０）。元画像送信部３７は元画像ファイルを参加者端末８０に送信する（Ｓ６０）。
【０１２４】
元画像ファイルが配信候補でかつ投影用画像ファイルの配信は許可されている（元画像ファイルの配信は許可されていない）場合、又は、投影用画像ファイルが配信候補でかつ投影用画像ファイルの配信は許可されている場合、投影画像記憶部３５は投影用画像ファイルを読み出す（Ｓ７０）。元画像送信部３７は投影用画像ファイルを参加者端末８０に送信する（Ｓ８０）。
【０１２５】
配信候補の画像ファイルに関係なく、元画像ファイルの配信も投影用画像ファイルの配信も禁止されている場合、元画像送信部３７は配信不可を参加者端末８０に送信する（Ｓ９０）。
【０１２６】
以上説明したように、本実施例の画像投影システムは、配布可否の設定に従いながら、見づらいと判定された投影用画像ファイルの元画像ファイルの配信要求に対してのみ、元画像ファイルを配信することができる。
【実施例４】
【０１２７】
実施例２，３では配信要求された投影用画像ファイルが重要か否か、又は、見づらいか否か、に応じてプロジェクタ１００が配信する画像ファイルを制御した。しかしながら、重要でない又は見づらくもない画像ファイルであれば、配信する必要がない場合もある。
【０１２８】
そこで、本実施例では、重要でない又は見づらくない画像ファイルは、配信しない画像投影システムについて説明する。
【０１２９】
図２０は、プロジェクタ１００の動作手順を示すフローチャート図の一例を示す。図２０は、図９のステップＳ4.13〜s4.26の処理手順を説明するものである。処理手順は図１７と同様だがステップＳ２２でＮｏと判定された場合の処理が異なっている。
【０１３０】
まず、プロジェクタ１００の操作受付部３１は、元画像ファイルの配信要求を受信する（Ｓ１０）。
【０１３１】
投影画像記憶部３５は画像ＩＤにより特定される紐付け情報と履歴情報を読み出す（Ｓ１５）。
【０１３２】
次に投影画像記憶部３５は、履歴情報の表示開始時刻と表示終了時刻から表示時間を計算し、表示時間が例えば1分以上か否かを判定する（Ｓ２２）。
【０１３３】
表示時間が1分以上の場合（Ｓ２２のＹｅｓ）、投影画像記憶部３５は元画像ファイルを配信候補に決定する（Ｓ２３）。
【０１３４】
表示時間が1分以上でない場合（Ｓ２２のＮｏ）、投影画像記憶部３５は何ら画像ファイルを配信しないと決定する（Ｓ９０）。こうすることで、重要でない画像ファイルは配信を抑制できる。
【０１３５】
以降の処理は、実施例２，３と同様である。すなわち、投影画像記憶部３５は、紐付け情報に登録された配布可否フラグを参照し、元画像ファイルの配信又は投影用画像ファイルの配信が許可されているか否かを判定する（Ｓ３０）。
【０１３６】
元画像ファイルが配信候補でかつ元画像ファイルの配信が許可されている場合、投影画像記憶部３５は紐付け情報から発表者端末９０のＩＰアドレスを特定する（Ｓ４０）。
そして、元画像取得部３６は発表者端末９０から元画像ファイルを取得する（Ｓ５０）。元画像送信部３７は元画像ファイルを参加者端末８０に送信する（Ｓ６０）。
【０１３７】
元画像ファイルが配信候補でかつ投影用画像ファイルの配信は許可されている（元画像ファイルの配信は許可されていない）場合、投影画像記憶部３５は投影用画像ファイルを読み出す（Ｓ７０）。元画像送信部３７は投影用画像ファイルを参加者端末８０に送信する（Ｓ８０）。
【０１３８】
配信候補の画像ファイルに関係なく、元画像ファイルの配信も投影用画像ファイルの配信も禁止されている場合、元画像送信部３７は配信不可を参加者端末８０に送信する（Ｓ９０）。
【０１３９】
なお、実施例３に本実施例を適用した場合、Ｓ２２がＳ２１になるだけなので、説明を省略する。
【０１４０】
＜参加者に問い合わせる場合＞
本実施例では、重要でない又は見づらくない画像ファイルは、配信しないと説明したが、重要でない又は見づらくない画像ファイルを必要とするか否かを参加者が決定できる方が好ましいと考えられる。参加者にとって必要か否かは異なり、例えば、重要でなくても全ての画像ファイルを取得しておきたい参加者も存在するためである。
【０１４１】
このため、本実施例では参加者が元画像ファイルを要求する際に、参加者が、重要でない又は見づらくない画像ファイルを必要とするか否かを設定する。
【０１４２】
図２１は、参加者端末８０の表示装置２７に表示される画像情報入力画面の一例を示す図である。図２１において図１２（ａ）と同一部には同一の符号を付しその説明は省略する。図２１では、「画像ファイルが重要でない場合、又は、見づらくない場合も取得しますか？」というメッセージ５０４と「はい」又は「いいえ」を選択するラジオボタン５０５が表示されている。参加者は、重要でなくても又は見づらくなくても、配信要求する画像ファイルを取得しておきたいと考えれば「はい」を選択し、そうでなければ「いいえ」を選択する。「はい」又は「いいえ」の選択結果を以下、配信必要性情報という。配信必要性情報は、投影用画像ファイルの画像ＩＤと共に、参加者端末８０からプロジェクタ１００に送信される。
【０１４３】
図２２は、プロジェクタ１００の動作手順を示すフローチャート図の一例を示す。図２２は、図９のステップＳ4.13〜s4.26の処理手順を説明するものである。処理手順は図２０と同様だがステップＳ２２でＮｏと判定された場合の処理が異なっている。
【０１４４】
まず、プロジェクタ１００の操作受付部３１は、元画像ファイルの配信要求を受信する（Ｓ１０）。
【０１４５】
投影画像記憶部３５は画像ＩＤにより特定される紐付け情報と履歴情報を読み出す（Ｓ１５）。
【０１４６】
次に投影画像記憶部３５は、履歴情報の表示開始時刻と表示終了時刻から表示時間を計算し、表示時間が例えば1分以上か否かを判定する（Ｓ２２）。
【０１４７】
表示時間が1分以上の場合（Ｓ２２のＹｅｓ）、投影画像記憶部３５は元画像ファイルを配信候補に決定する（Ｓ２３）。
【０１４８】
表示時間が1分以上でない場合（Ｓ２２のＮｏ）、投影画像記憶部３５は配信必要性情報を参照して配信が必要か否かを判定する（Ｓ２６）。
【０１４９】
配信が必要と判定された場合（Ｓ２６のＹｅｓ）、投影画像記憶部３５は元画像ファイルを配信候補に決定する（Ｓ２３）。こうすることで、重要でない画像ファイルでも、配信要求された画像ファイルについて、元画像ファイルを配信候補にできる。処理はＳ３０に進み、以降の処理は図２０と同様であるので説明を省略する。
【０１５０】
配信が不要と判定された場合（Ｓ２６のＮｏ）、処理はＳ９０に進み、以降の処理は本実施例の図２０と同様である。こうすることで、重要でない画像ファイルは配信を抑制できる。
【０１５１】
また、実施例３に本実施例の図２２の処理を適用した場合、Ｓ２２がＳ２１になるだけなので、説明を省略する。
【０１５２】
本実施例によれば、例えば、投影された画像が多数になる場合、プロジェクタ１００は、発表内容の要点をしめす重要な部分のみを参加者端末８０に配信することができる。参加者は、内容を簡単に把握することのできる配布資料を取得できる。また、投影された画像が少ない場合や、元画像ファイルを必要とする場合、参加者は、任意に元画像ファイルを取得することもできる。
【実施例５】
【０１５３】
実施例３では履歴情報に記録された拡大操作により、プロジェクタ１００が配信する元画像ファイルと投影用画像ファイルのどちらを配信するかを制御した。本実施例ではさらに拡大操作の履歴がある場合に、拡大した画像データを参加者端末８０に配信する画像投影システムについて説明する。
【０１５４】
拡大した画像データを参加者に提供することで、拡大された重要な箇所を元画像ファイルから生成して参加者端末８０に提供することができる。
【０１５５】
図２３は、本実施例のプロジェクタ１００、発表者端末９０、及び、参加者端末８０の機能ブロック図の一例を示す。図２３において図６と同一部には同一の符号を付しその説明は省略する。図２３のプロジェクタ１００は拡大問い合わせ部３９を有する。拡大問い合わせ部３９は、履歴情報に拡大操作が記録されている場合、元画像ファイルを拡大するか否かを参加者に問い合わせる。そして、参加者端末８０から問い合わせ結果を受信して投影画像記憶部３５に通知する。
【０１５６】
図２４は、本実施例において履歴作成部３３が履歴情報を作成する手順を示すフローチャート図の一例である。実施例１の図９のS3.0〜S3.9にて説明したように、履歴作成部３３は、操作内容を履歴情報記憶部３４に記録する。本実施例の履歴作成部３３は、操作内容だけでなく拡大操作の拡大倍率を履歴情報に記憶する。
【０１５７】
まず、投影機器操作者（参加者又は発表者のいずれでもよい）がプロジェクタ１００のユーザＩ／Ｆを操作して画像を拡大させる。操作倍率は、拡大のためのボタンを投影機器操作者が押した時間の長さ、数値などで入力した倍率などで決定される。また、投影機器操作者は画像の拡大中心を指定することができる。拡大中心は、（３０，４０）などの画像の左上コーナを原点とする座標で指定することができる。または、画像を例えば９〜１６分割した場合の1つのセルを指定することでも指定できる。また、カメラを備えたプロジェクタ１００では、投影機器操作者が投影画像を指先やレーザポインタで指し示した場所を拡大中心とすることができる。操作受付部３１は拡大率と拡大中心を含む操作内容を投影画像記憶部３５に送出する（Ｓ２１０）。投影画像記憶部３５は、操作内容と現在投影している投影用画像ファイルの画像ＩＤを履歴作成部３３に通知する。
【０１５８】
履歴作成部３３は、画像ＩＤにより履歴情報のレコードを特定し、操作内容を履歴情報記憶部３４に記録する（Ｓ２２０）。
【０１５９】
図２５は、本実施例の履歴情報の一例を示す。図では投影用画像ファイルの画像ＩＤが「1.jpg」の拡大という操作内容に対し、拡大率が「×４」、拡大中心が「（３０，４０）」と登録されている。
【０１６０】
なお、この後、投影画像記憶部（画像処理部３８）が投影用画像ファイルに対し拡大処理を施すのは、実施例１と同様である。
【０１６１】
＜元画像の差し替え時のフローチャート図＞
図２６は、プロジェクタ１００の動作手順を示すフローチャート図の一例を示す。
【０１６２】
まず、プロジェクタ１００の操作受付部３１は、元画像ファイルの配信要求を受信する（Ｓ１０）。
【０１６３】
投影画像記憶部３５は画像ＩＤにより特定される紐付け情報と履歴情報を読み出す（Ｓ１５）。
【０１６４】
次に投影画像記憶部３５は、履歴情報に拡大の操作履歴があるか否かを判定する（Ｓ２１）。
【０１６５】
拡大の操作履歴がある場合（Ｓ２１のＹｅｓ）、投影画像記憶部３５は、紐付け情報に登録された配布可否フラグを参照し、元画像ファイルの配信が許可されているか否かを判定する（Ｓ２１０１）。元画像ファイルの配信が許可されていない場合、拡大された元画像ファイルの配信も許可すべきでないためである。
【０１６６】
元画像ファイルの配信が許可されている場合（Ｓ２１０１のＹｅｓ）、拡大問い合わせ部３９は参加者に元画像ファイルを拡大するか否かを問い合わせる（Ｓ２１０２）。拡大問い合わせ部３９は、例えばＨＴＭＬファイルを生成し、参加者端末８０の画像情報受付部５２に送信する。
【０１６７】
図２７は、参加者端末８０の表示装置２７に表示される拡大問い合わせ画面の一例を示す図である。拡大問い合わせ画面には「資料ＩＤID20110511ｐ１には拡大履歴がありました。」というメッセージ６０１、拡大率及び拡大中心６０２が表示されている。参加者は、資料ＩＤ、拡大率、及び、拡大中心を確認して、拡大された元画像ファイルの配信を要求するか否かを判断する。参加者は「はい」「いいえ」のラジオボタン６０３で拡大された元画像ファイルの配信の有無を設定し、決定ボタン６０４を押下する。これにより、拡大された元画像ファイルの配信を要求するか否かを返信する。
【０１６８】
拡大問い合わせ部３９は、問い合わせ結果に基づき、発表者端末９０に拡大画像を要求するか否かを判定する（Ｓ２１０３）。
【０１６９】
参加者が拡大画像を要求しない場合（Ｓ２１０３のＮｏ）、投影画像記憶部３５は元画像ファイルを配信すると決定する（Ｓ２１０７）。配信候補でなく配信すると決定するのはすでに配布可否フラグを確認済だからである。
【０１７０】
参加者が拡大画像を要求する場合（Ｓ２１０３のＹｅｓ）、元画像取得部３６は、拡大された元画像ファイルを要求するため、画像ＩＤと操作内容を発表者端末９０に送信する（Ｓ２１０４）。これにより、発表者端末９０は拡大率や拡大中心を取得できる。
【０１７１】
発表者端末９０の投影画像生成部４２は、操作内容を取得する（Ｓ２１１１）。
【０１７２】
投影画像生成部４２は画像ＩＤにより指定される元画像ファイルを画像記憶部４５から読み出し、拡大処理を施す（Ｓ２１１２）。
【０１７３】
画像ファイル送信部４４は、拡大された元画像ファイルをプロジェクタ１００に送信する（Ｓ２１１３）。
【０１７４】
プロジェクタ１００の元画像取得部３６は、拡大された元画像ファイルを受信する（Ｓ２１０５）。そして、元画像送信部３７は拡大された元画像ファイルを参加者端末８０に送信する（Ｓ２１０６）。以上により、参加者端末８０は特に重要な部分の拡大された元画像ファイルを取得できる。
【０１７５】
なお、ステップＳ２１で、拡大の操作履歴がない場合（Ｓ２１のＮｏ）、投影画像記憶部３５は投影画像ファイルを配信候補に決定し（Ｓ２４）、以降の処理は実施例３と同様である。
【０１７６】
すなわち、投影画像記憶部３５は、紐付け情報に登録された配布可否フラグを参照し、投影用画像ファイルの配信が許可されているか否かを判定する（Ｓ３０）。
【０１７７】
投影用画像ファイルが配信候補でかつ投影用画像ファイルの配信は許可されている場合、投影画像記憶部３５は投影用画像ファイルを読み出す（Ｓ７０）。元画像送信部３７は投影用画像ファイルを参加者端末８０に送信する（Ｓ８０）。
【０１７８】
投影用画像ファイルの配信が禁止されている場合、元画像送信部３７は配信不可を参加者端末８０に送信する（Ｓ９０）。
【０１７９】
なお、ステップＳ２１で、拡大の操作履歴がない場合（Ｓ２１のＮｏ）、投影画像記憶部３５は実施例4のように元画像ファイルと投影画像ファイルのいずれも配信しないと決定してもよい。
【０１８０】
本実施例によれば、高解像度の元画像ファイルから、重要箇所を拡大するので、重要でかつ取得データ量を抑えた配布資料を作成することができる。
【実施例６】
【０１８１】
これまでの実施例では、参加者端末８０がプロジェクタ１００から元画像ファイルを取得したが、本実施例では、参加者端末８０が発表者端末９０から元画像ファイルを取得する画像投影システムについて説明する。
【０１８２】
図２８は、本実施例のプロジェクタ１００、発表者端末９０、及び、参加者端末８０の機能ブロック図の一例を示す。図２８において図６と同一部には同一の符号を付しその説明は省略する。本実施例では、プロジェクタ１００に元画像取得部３６と元画像送信部３７が不要になる。
・プロジェクタ１００は、参加者端末８０からの元画像ファイルの要求に従い、紐付け情報から画像ＩＤに対応付けられたＩＰアドレスを読み出して参加者端末８０に送信する。画像取得部５１は、ＩＰアドレスにより発表者端末９０を特定し、投影用画像ファイルの画像ＩＤを発表者端末９０に送信して発表者端末９０に元画像ファイルを要求する。また、発表者端末９０から元画像ファイルを受信する。
【０１８３】
なお、紐付け情報の配布可否フラグにて元画像ファイルの配布が許可されていない場合、参加者端末８０が発表者端末９０に元画像ファイルを要求しても、発表者端末９０が投影用画像ファイルを参加者端末８０に送信する。または、投影用画像ファイルも参加者端末８０に送信しない。したがって、参加者端末８０が発表者端末９０から元画像ファイルを要求する場合でも、紐付け情報は有効である。
【０１８４】
また、実施例１〜５において、プロジェクタ１００は、参加者端末８０からの画像ファイルの配信要求に対し、履歴情報を用いて元画像ファイル、投影用画像ファイル又は送信しない、のいずれかを制御していた。本実施例のように、参加者端末８０が発表者端末９０から直接、画像ファイルを取得する場合、プロジェクタ１００はこの制御をできないので、プロジェクタ１００は、例えば、履歴情報を用いて、ＩＰアドレスと共に、
・発表者端末９０から画像ファイルを取得する権利情報、
・投影用画像ファイルを取得する権利情報、
・画像ファイルを取得することができない権利情報、
のいずれかを参加者端末８０に送信する。参加者端末８０は、画像ＩＤと共に権利情報を発表者端末９０に送信する。発表者端末９０はプロジェクタ１００の権利情報に応じて、参加者端末８０に送信する画像ファイルを元画像ファイル、投影用画像ファイル又は送信しない、のいずれかに制御できる。
【０１８５】
図２９は、参加者端末８０が元画像ファイルを取得する際のシーケンス図の一例を示す。なお、投影までの動作、投影後のプロジェクタ１００の動作は実施例１と同様なので省略する。
【０１８６】
＜参加者端末による元画像ファイルの取得＞
参加者が、プロジェクタ１００が投影している元画像ファイルを取得したいと考えた場合、参加者は参加者端末８０を使用して元画像ファイルを取得することができる。
s5.11：参加者は、参加者端末８０を操作して元画像ファイルを取得する操作を行う。参加者端末８０のプログラムは、発表者端末９０と同様に検出したプロジェクタ１００のＩＰアドレスによりプロジェクタ１００と接続している。または、参加者が、プロジェクタ１００が投影しているＩＰアドレスを入力して参加者端末８０とプロジェクタ１００を接続する。
s5.12：画像情報受付部５２は画像取得部５１に資料ＩＤを送出すると共に、元画像ファイルの取得を要求する。
s5.13：画像取得部５１は、プロジェクタ１００の操作受付部３１に資料ＩＤを送出して、この資料ＩＤの元画像ファイルを記憶している発表者端末９０のＩＰアドレスを要求する。
s5.14：操作受付部３１は、資料ＩＤを投影画像記憶部３５に送出すると共に、発表者端末９０のＩＰアドレスを要求する。
s5.15：投影画像記憶部３５は資料ＩＤを画像ＩＤに変換して、紐付け情報にて画像ＩＤに対応づけられた発表者端末９０のＩＰアドレスを読み出す。投影画像記憶部３５は、紐付け情報を参照してこの画像ＩＤの元画像ファイルの配布が許可されているか否かを判定する。
s5.16：操作受付部３１は発表者端末９０のＩＰアドレスを投影画像記憶部３５から取得する。
s5.17：操作受付部３１は、発表者端末９０のＩＰアドレスを画像取得部５１に送信する。
s5.18：画像取得部５１は、発表者端末９０のＩＰアドレスを指定して発表者端末９０の画像ファイル送信部４４に画像ＩＤを送信し、元画像ファイルを要求する。
s5.19：画像ファイル送信部４４は、画像ＩＤに基づき画像記憶部４５から読み出した元画像ファイルを画像取得部５１に送信する。
s5.20：画像取得部５１は、元画像ファイルの取得結果を画像情報受付部５２に通知する。
s5.21：画像情報受付部５２は、元画像ファイルの取得結果を参加者に通知する。
【０１８７】
本実施例によれば、プロジェクタ１００が元画像ファイルを発表者端末９０から取得する必要がないので、プロジェクタ１００の負荷を低減できる。
【符号の説明】
【０１８８】
１１、２５      無線ＬＡＮＩ／Ｆ
１２、２６      有線ＬＡＮＩ／Ｆ
１３      ＶｉｄｅｏＩ／Ｆ
１４      投影データメモリ
１５      プログラムメモリ
１６、２３      ＣＰＵ
１７、２４      ユーザＩ／Ｆ
１８      投影部
２１      外部記憶装置
２２      メモリ
２７      表示装置
８０      参加者端末
９０      発表者端末
１００    プロジェクタ
３００    画像投影システム
【先行技術文献】
【特許文献】
【０１８９】
【特許文献１】特開２０１０‐１２２２６３号公報
【図１】
0005790301.tif 000002
【図２】
0005790301.tif 000003
【図３】
0005790301.tif 000004
【図４】
0005790301.tif 000005
【図５】
0005790301.tif 000006
【図６】
0005790301.tif 000007
【図７】
0005790301.tif 000008
【図８】
0005790301.tif 000009
【図９】
0005790301.tif 000010
【図１０】
0005790301.tif 000011
【図１１】
0005790301.tif 000012
【図１２】
0005790301.tif 000013
【図１３】
0005790301.tif 000014
【図１４】
0005790301.tif 000015
【図１５】
0005790301.tif 000016
【図１６】
0005790301.tif 000017
【図１７】
0005790301.tif 000018
【図１８】
0005790301.tif 000019
【図１９】
0005790301.tif 000020
【図２０】
0005790301.tif 000021
【図２１】
0005790301.tif 000022
【図２２】
0005790301.tif 000023
【図２３】
0005790301.tif 000024
【図２４】
0005790301.tif 000025
【図２５】
0005790301.tif 000026
【図２６】
0005790301.tif 000027
【図２７】
0005790301.tif 000028
【図２８】
0005790301.tif 000029
【図２９】
0005790301.tif 000030